(57)【要約】【課題】ラジオゾンデの自由落下を回避できるか又は少なくとも低減できるシステムを提供する。【解決手段】本発明のある例示的態様によると、第１の紐（４）で気球（３）に接続されたラジオゾンデ（２）と、ラジオゾンデ（２）に接続された本体（５）とを備える、システム（１）が提供され、ここで本体（５）は、システム（１）の上昇中のラジオゾンデ（２）の振り子運動を低減するよう構成される。【選択図】図１
2019219168.tif 000002
【特許請求の範囲】
【請求項１】
‐第１の紐（４）で気球（３）に接続されたラジオゾンデ（２）；及び
‐前記ラジオゾンデ（２）に接続された本体（５）
を備える、システム（１）であって、
前記本体（５）は、前記システム（１）の上昇中の前記ラジオゾンデ（２）の振り子運動（ＰＭ）を低減するよう構成される、システム（１）。
【請求項２】
前記本体（５）は、前記気球（３）の移動方向（Ａ）とは異なる少なくとも１つの方向における前記ラジオゾンデ（２）の運動を低減するよう構成される、請求項１に記載のシステム（１）。
【請求項３】
前記本体（５）は、前記気球（３）の前記移動方向（Ａ）に対して垂直な前記ラジオゾンデ（２）の運動を低減するよう構成される、請求項２に記載のシステム（１）。
【請求項４】
前記本体（５）は、前記ラジオゾンデ（２）の周期性運動を低減するよう構成される、請求項１〜３のいずれか１項に記載のシステム（１）。
【請求項５】
前記本体（５）は、前記ラジオゾンデ（２）の抵抗係数を増大させるよう構成される、請求項１〜４のいずれか１項に記載のシステム（１）。
【請求項６】
前記本体（５）は、前記ラジオゾンデ（２）に直接接続されるか、又は前記第１の紐（４）若しくは第２の紐（６）で前記ラジオゾンデ（２）に接続される、請求項１〜５のいずれか１項に記載のシステム（１）。
【請求項７】
前記第１の紐（４）は、前記ラジオゾンデ（２）の第１の側部に接続され、前記第２の紐（６）は、前記ラジオゾンデ（２）の第２の側部に接続される、請求項６に記載のシステム（１）。
【請求項８】
前記本体（５）は、リボン（７）、織物又は箔を備える、請求項１〜７のいずれか１項に記載のシステム（１）。
【請求項９】
前記本体（５）は長方形であり、ａ＝ｍ／ｎ＞５のアスペクト比を有し、ここでａはアスペクト比であり、ｍは前記本体（５）の第１の側部（８）の長さであり、ｎは前記本体（５）の第２の側部（９）の長さであり、前記第２の側部（９）は前記ラジオゾンデ（２）に対面する、請求項８に記載のシステム（１）。
【請求項１０】
前記本体（５）に複数の開口（１３）が配設される、請求項８又は９に記載のシステム（１）。
【請求項１１】
前記本体（５）は、巻き上げられるように構成される、請求項８〜１０のいずれか１項に記載のシステム（１）。
【請求項１２】
前記本体（５）はパラシュート（１０）を備える、請求項６又は７に記載のシステム（１）。
【請求項１３】
前記第１の紐（４）の長さは、５〜６０ｍである、請求項１〜１２のいずれか１項に記載のシステム（１）。
【請求項１４】
前記第１の紐（４）の長さは、１０〜１５ｍである、請求項１３に記載のシステム（１）。
【請求項１５】
前記本体（５）は、自動発射システムでの使用のために準備されるよう構成される、請求項１〜１４のいずれか１項に記載のシステム（１）。
【請求項１６】
‐第１の紐（４）で気球（３）に接続されたラジオゾンデ（２）を備えるシステム（１）を提供するステップ；
‐本体（５）を前記ラジオゾンデ（２）に接続するステップであって、前記本体（５）は、前記システム（１）の上昇中の前記ラジオゾンデ（２）の振り子運動（ＰＭ）を低減するよう構成される、ステップ；及び
‐前記システム（１）を発射するステップ
を含む、方法。
【請求項１７】
前記気球（３）の移動方向（Ａ）とは異なる少なくとも１つの方向における前記ラジオゾンデ（２）の運動は、前記本体（５）によって低減される、請求項１６に記載の方法。
【請求項１８】
前記気球（３）の前記移動方向（Ａ）に対して垂直な前記ラジオゾンデ（２）の運動は、前記本体（５）によって低減される、請求項１６又は１７に記載の方法。
【請求項１９】
前記ラジオゾンデ（２）の周期性運動は、前記本体（５）によって低減される、請求項１６〜１８のいずれか１項に記載の方法。
【請求項２０】
前記ラジオゾンデ（２）の抵抗係数は、前記本体（５）によって増大させられる、請求項１６〜１９のいずれか１項に記載の方法。
【請求項２１】
前記システム（１）の上昇中、前記ラジオゾンデ（２）は前記気球（３）の下方に位置する、請求項１６〜２０のいずれか１項に記載の方法。
【請求項２２】
前記本体（５）は、前記ラジオゾンデ（２）に直接接続されるか、又は前記第１の紐（４）若しくは第２の紐（６）で前記ラジオゾンデ（２）に接続される、請求項１６〜２１のいずれか１項に記載の方法。
【請求項２３】
前記第１の紐（４）は、前記ラジオゾンデ（２）の第１の側部に接続され、前記第２の紐（６）は、前記ラジオゾンデ（２）の第２の側部に接続される、請求項２２に記載の方法。
【請求項２４】
リボン（７）、織物又は箔が、前記ラジオゾンデ（２）に接続される、請求項１６〜２３のいずれか１項に記載の方法。
【請求項２５】
長方形の前記本体（５）が前記ラジオゾンデ（２）に接続され、前記本体（５）は、ａ＝ｍ／ｎ＞５のアスペクト比を有し、ここでａはアスペクト比であり、ｍは前記本体（５）の第１の側部（８）の長さであり、ｎは前記本体（５）の第２の側部（９）の長さであり、前記第２の側部（９）は前記ラジオゾンデ（２）に対面する、請求項２４に記載の方法。
【請求項２６】
複数の開口（１３）が、前記本体（５）を貫通するように作製される、請求項１６〜２５のいずれか１項に記載の方法。
【請求項２７】
前記本体（５）は、巻き上げられる、請求項１６〜２６のいずれか１項に記載の方法。
【請求項２８】
パラシュートが、前記ラジオゾンデ（２）に接続される、請求項２２又は２３に記載の方法。
【請求項２９】
前記第１の紐（４）は、５〜６０ｍの長さを有するように提供される、請求項１６〜２８のいずれか１項に記載の方法。
【請求項３０】
前記第１の紐（４）は、１０〜１５ｍの長さを有するように提供される、請求項２９に記載の方法。
【請求項３１】
前記本体（５）は、自動発射システムでの使用のために準備される、請求項１６〜３０のいずれか１項に記載の方法。
【発明の詳細な説明】
【技術分野】
【０００１】
本発明は、ラジオゾンデに関連するシステムに関する。更に本発明は、ラジオゾンデに関連する方法に関する。
【背景技術】
【０００２】
多くのラジオゾンデが知られており、これらを用いて、異なる複数の高度における大気のパラメータ、例えば圧力、温度、相対湿度を測定できる。
【０００３】
例えば特許文献１は、ラジオゾンデと、浮上を生成するための、上記ラジオゾンデに接続された気球とを備えるシステムが開示されている。ラジオゾンデは、電子測定装置と、通信装置と、上記電子測定装置及び上記通信装置のために使用されるエネルギ供給装置とを備える。測定バーがラジオゾンデに接続され、少なくとも１つのセンサが上記測定バーに接続される。ラジオゾンデは更に、ラジオゾンデに連結されたテンションアームを備える。測定バーは、テンションアームの取り付けに基づいて、テンションアームの端部において所定の角度で傾斜する。
【０００４】
理想的には、ラジオゾンデ及び気球は、最適な条件下で、ある移動方向に同時に移動する。換言すれば、ラジオゾンデ及び気球両方の加速、速度及び方向は同一である。
【０００５】
実際には、ラジオゾンデ及び気球の加速、速度及び方向は異なり得る。気球の質量は例えば０．３ｋｇであってよく、ラジオゾンデの質量は例えば０．１ｋｇであってよい。気球とラジオゾンデとの間の紐の長さは例えば５ｍであってよい。ラジオゾンデの上方の気球は、ラジオゾンデを垂直方向に空中へと移動させるために必要な浮上を生成する。例えば風によって、気球に水平方向の力が短期間にわたって印加されると、気球は水平方向にも追加で移動し始め、従ってラジオゾンデを振動させる。ラジオゾンデの振動は、水平方向の上記力の印加が停止しても持続することになる。更に気球は、水平方向へ、及び垂直方向への移動を継続することになる。換言すれば、ラジオゾンデは、気球によって上記移動方向へと浮上させられるだけでなく、更に揺動もする、即ち上記移動方向に対して垂直な少なくとも１つの方向にも移動し得る。高密度の空気中で低高度であれば、この振動運動は、気球の質量及びラジオゾンデの質量のあらゆる組み合わせに関して比較的小さい。上記振動運動は、気球及びラジオゾンデの移動によって発生する空気抵抗力によって減衰させられる。気球の表面積が比較的大きいことが、水平方向の移動に相当な影響を及ぼす。しかしながら高高度では、この系の質量が一定のまま、気球の表面積の影響が低下する。
【０００６】
ラジオゾンデは一時的に気球より上方の位置にさえ揺動する場合があり、続いてラジオゾンデはこの位置から、ラジオゾンデと気球とを接続する紐によって自由落下が突然停止するまで、地面に向かって落下することが観察されている。ラジオゾンデのこのような挙動は、ラジオゾンデの重量が比較的小さく、例えば１２０ｇ未満であり、またラジオゾンデと気球との間の紐の長さが比較的短い、例えば５ｍ〜１５ｍである場合、及び空気密度が比較的低い場合に、特に観察され得る。ラジオゾンデ又はラジオゾンデの部品は、ラジオゾンデが自由落下から突然停止することによって損傷する場合がある。
【０００７】
更に、ラジオゾンデの振動運動は、測定、例えば風速測定の精度に影響を及ぼし得る。
【先行技術文献】
【特許文献】
【０００８】
【特許文献１】独国実用新案第２０２０１３１０４５８６号
【発明の概要】
【発明が解決しようとする課題】
【０００９】
以上に鑑みて、紐によって気球に接続されたラジオゾンデを備え、上記ラジオゾンデの自由落下を回避できるか又は少なくとも低減できる、システムを提供することが有益となる。
【課題を解決するための手段】
【００１０】
本発明は独立請求項の特徴によって定義される。いくつかの具体的な実施形態が、従属請求項において定義される。
【００１１】
本発明の第１の態様によると、第１の紐で気球に接続されたラジオゾンデと、上記ラジオゾンデに接続された本体とを備えるシステムが提供され、上記本体は、上記システムの上昇中の上記ラジオゾンデの振り子運動を低減するよう構成される。
【００１２】
第１の態様の様々な実施形態は、以下の箇条書きのリストからの少なくとも１つの特徴を備えてよい：
・上記本体は、上記気球の移動方向とは異なる少なくとも１つの方向における上記ラジオゾンデの運動を低減するよう構成される；
・上記本体は、上記気球の上記移動方向に対して垂直な上記ラジオゾンデの運動を低減するよう構成される；
・上記本体は、上記ラジオゾンデの周期性運動を低減するよう構成される；
・上記本体は、上記ラジオゾンデの抵抗係数を増大させるよう構成される；
・上記本体は、上記ラジオゾンデに直接接続されるか、又は上記第１の紐若しくは第２の紐で上記ラジオゾンデに接続される；
・上記第１の紐は、上記ラジオゾンデの第１の側部、例えば上部に接続され、上記第２の紐は、上記ラジオゾンデの第２の側部、例えば底部に接続される；
・上記本体は、リボン、織物又は箔を備える；
・上記本体は長方形であり、ａ＝ｍ／ｎ＞５のアスペクト比を有し、ここでａはアスペクト比であり、ｍは上記本体の第１の側部の長さであり、ｎは上記本体の第２の側部の長さであり、上記第２の側部は上記ラジオゾンデに対面する；
・上記本体に複数の開口が配設される；
・上記本体、特にリボンは、巻き上げられるように構成される；
・上記本体はパラシュートを備える；
・上記第１の紐の長さは、５〜６０ｍである；
・上記第１の紐の長さは、１０〜１５ｍである；
・上記本体は、自動発射システムでの使用のために準備されるよう構成される。
【００１３】
本発明の第２の態様によると、第１の紐で気球に接続されたラジオゾンデを備えるシステムを提供するステップ；本体を上記ラジオゾンデに接続するステップであって、上記本体は、上記システムの上昇中の上記ラジオゾンデの振り子運動を低減するよう構成される、ステップ；及び上記システムを発射するステップを含む、方法が提供される。
【００１４】
第２の態様の様々な実施形態は、以下の箇条書きのリストからの少なくとも１つの特徴を備えてよい：
・上記気球の移動方向とは異なる少なくとも１つの方向における上記ラジオゾンデの運動は、上記本体によって低減される；
・上記気球の上記移動方向に対して垂直な上記ラジオゾンデの運動は、上記本体によって低減される；
・上記ラジオゾンデの周期性運動は、上記本体によって低減される；
・上記ラジオゾンデの抵抗係数は、上記本体によって増大させられる；
・上記システムの上昇中、上記ラジオゾンデは上記気球の下方に位置する；
・上記本体は、上記ラジオゾンデに直接接続されるか、又は上記第１の紐若しくは第２の紐で上記ラジオゾンデに接続される；
・上記第１の紐は、上記ラジオゾンデの第１の側部に接続され、上記第２の紐は、上記ラジオゾンデの第２の側部に接続される；
・リボン、織物又は箔が、上記ラジオゾンデに接続される；
・長方形の本体が上記ラジオゾンデに接続され、上記本体は、ａ＝ｍ／ｎ＞５のアスペクト比を有し、ここでａはアスペクト比であり、ｍは上記本体の第１の側部の長さであり、ｎは上記本体の第２の側部の長さであり、上記第２の側部は上記ラジオゾンデに対面する；
・複数の開口が、上記本体を貫通するように作製される；
・上記本体は、巻き上げられる；
・パラシュートが、上記ラジオゾンデに接続される；
・上記第１の紐は、５〜６０ｍの長さを有するように提供される；
・上記第１の紐は、１０〜１５ｍの長さを有するように提供される；
・上記本体は、自動発射システムでの使用のために準備される。
【００１５】
本発明の特定の実施形態によって、相当な利点が得られる。ラジオゾンデに関連するシステム及び方法が提供される。上記システムの上昇中にラジオゾンデの振り子運動を低減するよう構成された本体を、ラジオゾンデに接続する。これにより、ラジオゾンデ‐本体複合体の抵抗係数を、ラジオゾンデのみの場合よりも増大させることができる。上記本体は、ラジオゾンデと気球との間の紐にその張力を維持させるよう構成される。
【００１６】
これは、ラジオゾンデの重量が比較的小さい場合、及び／又はラジオゾンデと気球との間の紐が比較的短い場合に特に有利である。本発明の少なくともいくつかの実施形態によるシステムによって、ラジオゾンデの自由落下を回避できるか、又は少なくとも低減できる。
【００１７】
更に、振り子運動の低減によって、ラジオゾンデによる特定の測定を容易に、及び／又はより正確に実施できる。例えばラジオゾンデの振動運動は、上記本体が上記振り子運動を低減することにより、異なる複数の高度における風速の測定に関する不確実性の生成がより少なくなる。
【００１８】
更に本発明の特定の実施形態は、リボンの形態の本体を提供する。このリボンは、ラジオゾンデの発射前には巻き上げられていてよい。本発明の特定の実施形態によるシステムは自動発射システムと接続して使用されるよう構成できる。このような自動発射システムでは、ラジオゾンデ及び気球は、気球の膨張前には箱の中で準備できる。リボンの形態の本体は、リボンを巻き上げ、ラジオゾンデ、気球及び本体を上述のような箱の中で準備することによって、自動発射システムでの使用のために容易に準備できる。
【図面の簡単な説明】
【００１９】
【図１】図１は、ラジオゾンデ構成の概略図である。
【図２】図２は、ラジオゾンデ構成の別の概略図である。
【図３】図３は、本発明の少なくともいくつかの実施形態によるシステムの概略図である。
【図４】図４は、本発明の少なくともいくつかの実施形態によるシステムの本体の概略図である。
【図５】図５は、本発明の少なくともいくつかの実施形態によるシステムの別の本体の概略図である。
【図６】図６は、本発明の少なくともいくつかの実施形態によるシステムの更なる本体の概略図である。
【図７】図７は、本発明の少なくともいくつかの実施形態によるシステムのまた更なる本体の概略図である。
【図８】図８は、本発明の少なくともいくつかの実施形態による別のシステムの概略図である。
【図９】図９は、本発明の少なくともいくつかの実施形態による更なるシステムの概略図である。
【図１０】図１０は、本発明の少なくともいくつかの実施形態によるシステムの本体を備えないラジオゾンデ構成の、時間‐変位グラフの概略図である。
【図１１】図１１は、本発明の少なくともいくつかの実施形態によるシステムの、時間‐変位グラフの概略図である。
【発明を実施するための形態】
【００２０】
図１では、ラジオゾンデ構成の概略図が図示されている。ラジオゾンデ２は、紐４で気球３に接続される。ラジオゾンデ２は、気球３によって移動方向Ａへと浮上する。典型的には、上記ラジオゾンデ構成の速度は、約５ｍ／ｓ〜６ｍ／ｓである。更にラジオゾンデ２は、前後に揺動する。即ちラジオゾンデ２は振動し、従って振り子運動ＰＭを行う。ラジオゾンデ２の振り子運動ＰＭは例えば、気球３の外側表面の不規則性によって、又は異なる複数の高度において風速が変化することによって、引き起こされ得る。前後に揺動する代わりに、ラジオゾンデ２は、円形又は楕円形軌跡に沿って揺動する場合もある。このような円形又は楕円形軌跡に沿った揺動もまた、本文書では振動運動、即ち振り子運動と見做す。
【００２１】
上記ラジオゾンデの振り子運動ＰＭは、特にラジオゾンデ２の重量が比較的小さく、例えば１２０ｇ未満であり、かつラジオゾンデ２と気球３との間の紐４の長さが比較的短い、例えば１０ｍ〜１５ｍである場合に、広範囲となり得る。気球３の重量は例えば３００ｇ〜１２００ｇとすることができる。
【００２２】
図２では、ラジオゾンデ構成の別の概略図が図示されている。ラジオゾンデ２の振り子運動ＰＭは、臨界点を超えるほど広範囲となっており、紐４はその張力を失い、ラジオゾンデ２は、気球３が垂直方向Ａに上昇している間に地面１１に向かって自由落下ＦＦしている。換言すれば、気球３の移動方向Ａ及びラジオゾンデ２の移動の方向が、例えば一時的に反対となり得る。続いてラジオゾンデ２の自由落下ＦＦは、ラジオゾンデ２と方向Ａに移動する気球３とを接続する紐４によって、突然停止することになる。ラジオゾンデ２のこのような急停止により、ラジオゾンデ２が損傷する場合がある。更にラジオゾンデ２が気球３に衝突することによって気球３を損傷させる場合もあり、これは気球３の爆発につながり得る。
【００２３】
図３では、本発明の少なくともいくつかの実施形態によるシステム１の概略図が図示されている。システム１は、第１の紐４で気球３に接続されたラジオゾンデ２を備える。更にシステム１は、ラジオゾンデ２に接続された本体５を備える。この本体５は、システム１が移動方向Ａに上昇している間のラジオゾンデ２の振り子運動ＰＭを低減するよう構成される。特に本体５は、気球３の移動方向とは異なる少なくとも１つの方向のラジオゾンデ２の運動を低減するよう構成される。特に本体５は、気球３の移動方向に対して垂直なラジオゾンデ２の運動を低減するよう構成される。例えば気球３の外側表面の不規則性及び／又は風Ｗによって引き起こされる周期性の振り子運動ＰＭを、本体５によって経時的に低減できる。本体５に接続されたラジオゾンデ２の抵抗係数は、ラジオゾンデ２そのままの抵抗係数より大きい。本体５は、ラジオゾンデ２が臨界位置へ、特に気球３より上方の位置へと揺動するのを防止する。本体５によって紐４にその張力を維持させることにより、ラジオゾンデ２の自由落下を回避できるか、又は少なくとも低減できる。
【００２４】
本体５は例えば、リボン７の形態であってよい。図３に示すように、リボン７はラジオゾンデ２に直接接続してよい。リボン７は織物製であってよく、例えば長方形のフットプリントを有してよい。特定の実施形態によると、リボン７は、ラジオゾンデ２が前後に周期性運動する場合に、ラジオゾンデ２に直接接続されるリボン７の端部セクション１２が湾曲して形成されるよう、一定の剛性を有する。
【００２５】
図４では、本発明の少なくともいくつかの実施形態によるシステムの本体５の概略図が図示されている。本体５はリボン７の形態である。リボン７の材料は、例えば織物又はプラスティック箔であってよい。上記本体は、第２の紐６でラジオゾンデ（図示せず）に接続できる。
【００２６】
本体５は長方形であり、ａ＝ｍ／ｎ＞５のアスペクト比を有し、ここでａはアスペクト比であり、ｍは本体５の第１の側部８の長さであり、ｎは本体５の第２の側部９の長さであり、第２の側部９はラジオゾンデ２に対面する。例えば上記第１の側部の長さは１００ｃｍであってよく、第２の側部９の長さは５ｃｍであってよく、即ちアスペクト比は、ａ＝１００ｃｍ／５ｃｍ＝２０であってよい。
【００２７】
複数の開口１３が本体５に配設される。リボン７の粗度は、本体５を貫通するように複数の開口１３を設けることによって増大する。本体５は、ラジオゾンデ‐本体複合体の抵抗係数を、ラジオゾンデ２のみの場合より増大させるよう構成される。
【００２８】
更に、リボン７の形態の本体５は、巻き上げられるよう構成される。このようにして本体５を、自動発射システム（図示せず）における使用のために準備できる。
【００２９】
図５では、本発明の少なくともいくつかの実施形態によるシステムの別の本体５の概略図が図示されている。本体５は、パラシュート１０の形態である。パラシュート１０は従来の形態を有してよく、又は例えば閉鎖された四角錐の形態であってよい。本発明の特定の実施形態によると、パラシュート１０は、上記気球によって上向きに浮上する。パラシュート１０は、システム１の上昇中に、紐６にその張力を維持させる。
【００３０】
図６では、本発明の少なくともいくつかの実施形態によるシステムの更なる本体５の概略図が図示されている。本体５は、ラジオゾンデ２の４つの側部を少なくとも部分的に取り囲むように配設された４つのプレート１４を備える。プレート１４は更に、各プレートの一部がラジオゾンデ２から反対方向を向くように配設される。本体５の各プレート１４は、異なる方向を向く。よって、異なる複数の方向へのラジオゾンデ２の揺動運動を、ラジオゾンデ‐本体複合体の抵抗係数がラジオゾンデのみの場合より増大することによって、低減できる。図６に示す本体５は、例えば環状軌跡を描く振り子運動を平坦化するために有利となり得る。
【００３１】
図７では、本発明の少なくともいくつかの実施形態によるシステムのまた更なる本体の概略図が図示されている。４つのプレート１４の形態の本体５は、ラジオゾンデ２に接続される。各プレート１４は、ラジオゾンデ２の１つの側部に接続され、ラジオゾンデ２から反対方向を向く。よって、異なる複数の方向へのラジオゾンデ２の揺動運動を、ラジオゾンデ‐本体複合体の抵抗係数がラジオゾンデのみの場合より増大することによって、低減できる。図７に示す本体５は、例えば環状軌跡を描く振り子運動を平坦化するために有利となり得る。
【００３２】
図８では、本発明の少なくともいくつかの実施形態による別のシステム１の概略図が図示されている。１つのプレートの形態の本体５は、ラジオゾンデに接続される。上記プレートは、例えば長方形又は正方形であってよい。上記プレートは、紐４に対して略垂直に配向される。このような１つのプレートであっても、本体５がシステム１の上昇中に紐４にその張力を維持させるため、上記ラジオゾンデの振り子運動を低減できる。
【００３３】
図９では、本発明の少なくともいくつかの実施形態による更なるシステム１の概略図が図示されている。本体５は、リボン７の形態で提供される。更に複数のポーチ１５がリボン７に取り付けられる。ポーチ１５は全て、リボン７の片側に取り付けてよく、又はリボン７の両側に取り付けてよい。典型的には、各ポーチ１５は、ラジオゾンデ２に向かう方向に開いている。よって、リボン７に取り付けられた各ポーチ１５は、ラジオゾンデ２に対して小さなパラシュートの効果を有する。リボン７及びポーチ１５を備える本体５は、システム１の上昇中に紐４にその張力を維持させるよう構成される。
【００３４】
本発明の特定の実施形態によると、第１の紐４は、ラジオゾンデ２の第１の端部においてラジオゾンデ２に取り付けられ、第２の紐６は、ラジオゾンデ２の第２の端部においてラジオゾンデ２に取り付けられる。
【００３５】
図１０では、本発明の少なくともいくつかの実施形態によるシステムの本体を備えないラジオゾンデ構成の、時間‐変位グラフの概略図が示されている。ラジオゾンデの前後の揺動運動、即ち振動運動が、図１０に示されている。ラジオゾンデの揺動運動は周期性運動であり、ラジオゾンデの変位ｄは時間ｔに亘って変化することを確認できる。しかしながら、後続の複数のサイクルにおける変位ｄの振幅は、時間ｔに亘って同一又は略同一である。その結果、本発明によるシステムの本体を備えない場合、ラジオゾンデは長期間に亘って振動し続ける。
【００３６】
図１１では、本発明の少なくともいくつかの実施形態によるシステムの、時間‐変位グラフの概略図が示されている。ラジオゾンデの前後の揺動運動、即ち振動運動が、図１１に示されている。ラジオゾンデの揺動運動は周期性運動であり、ラジオゾンデの変位ｄは時間ｔに亘って変化することを確認できる。本体がラジオゾンデに連結されており、上記本体がラジオゾンデの振り子運動を低減するよう構成されていることにより、後続の複数のサイクルにおける変位の振幅は、時間ｔに亘って同一ではない。換言すれば、直接、又は紐でラジオゾンデに接続された本体により、変位ｄの振幅は時間ｔに亘って減少する。よって、気球の移動方向に対して垂直な少なくとも１つの方向へのラジオゾンデの運動は、低減される。ラジオゾンデの揺動運動は、ラジオゾンデ‐本体複合体の抵抗係数が増大していることにより、時間ｔに亘って平坦化される。その結果、ラジオゾンデが臨界位置へ、例えば気球より上方の位置へと揺動している状況を回避できるか、又は少なくとも低減できる。ラジオゾンデの経時的な振動運動の低減は更に、特定の測定の精度を改善する。
【００３７】
ここで開示されている本発明の実施形態は、本明細書に開示された特定の構造、プロセスステップ又は材料に限定されず、当業者には認識されるように、その均等物へと拡張されることを理解されたい。また本明細書において採用されている術語は、特定の実施形態を説明することのみを目的として使用されており、限定を意図したものではないことを理解されたい。
【００３８】
本明細書全体を通しての、一実施形態（ｏｎｅ  ｅｍｂｏｄｉｍｅｎｔ）又はある実施形態（ａｎ  ｅｍｂｏｄｉｍｅｎｔ）に対する言及は、当該実施形態に関連して記載された特定の特徴、構造又は特性が本発明の少なくとも１つの実施形態に含まれることを意味している。従って、本明細書全体を通して様々な箇所で現れる「一実施形態では（ｉｎ  ｏｎｅ  ｅｍｂｏｄｉｍｅｎｔ）」又は「ある実施形態では（ｉｎ  ａｎ  ｅｍｂｏｄｉｍｅｎｔ）」という句は、全てが必ずしも同一の実施形態を指すわけではない。例えば「約（ａｂｏｕｔ）」又は「略（ｓｕｂｓｔａｎｔｉａｌｌｙ）」といった用語を用いて数値に対する言及が行われている場合、その数値自体も開示されている。
【００３９】
本明細書において使用されている場合、複数の項目、構造的要素、構成要素及び／又は材料は、利便性のために共通のリスト中で提示される場合がある。しかしながらこれらのリストは、上記リストの各メンバーが、別個かつ一意のメンバーとして独立して識別されているかのように解釈されるものとする。従って、そうでないことが指示されていない場合、このようなリストの個々のメンバーのいずれも、これらのメンバーがある共通のグループ内に提示されていることに基づいて、当該リストの他のいずれのメンバーの事実上の等価物として解釈されることはないものとする。更に、本発明の様々な実施形態及び実施例は、本明細書において、その様々な構成部品の代替物と共に言及される場合がある。このような実施形態、実施例及び代替物は、互いの事実上の等価物として解釈されるものではなく、本発明の別個の自律的な表現と見做されることを理解されたい。
【００４０】
更に、記載されている特徴、構造又は特性は、１つ又は複数の実施形態において、いずれの好適な様式で組み合わせてよい。以下の記載では、本発明の実施形態の完全な理解を提供するために、長さ、幅、形状等の例といった多数の具体的詳細が提供される。しかしながら当業者であれば、本発明は、これらの具体的詳細のうちの１つ若しくは複数を用いずに、又は他の方法、構成部品、材料等を用いて実施できることを認識するだろう。他の例では、本発明の態様を不明瞭にするのを回避するために、公知の構造、材料又は操作は図示又は詳述されない。
【００４１】
上述の実施例は、１つ又は複数の特定の用途における本発明の原理の例示であるが、当業者には発明的能力を発揮することなく、かつ本発明の原理及び概念から逸脱することなく、形態、使用法及び実装の詳細について多数の修正を実施できることは明らかであろう。従って、以下の請求項による限定を除いて、本発明を限定することは意図されていない。
【００４２】
動詞「…を備える（ｔｏ  ｃｏｍｐｒｉｓｅ）」及び「…を含む（ｉｎｃｌｕｄｅ）」は、本文書では、列挙されていない特徴の存在も排除又は要求することのないオープンな限定として使用される。従属請求項に列挙される特徴は、そうでないことが明言されていない限り、相互に自由に組み合わせることができる。更に、本文書全体を通して、「ある（ａ又はａｎ）」、即ち単数形の使用は、複数を排除するものではないことを理解されたい。
【産業上の利用可能性】
【００４３】
本発明の少なくともいくつかの実施形態は、ラジオゾンデの産業的応用を見出す。
【符号の説明】
【００４４】
１      システム
２      ラジオゾンデ
３      気球
４      第１の紐
５      本体
６      第２の紐
７      リボン
８      本体の第１の側部
９      本体の第２の側部
１０    パラシュート
１１    地面
１２    リボンの端部セクション
１３    開口
１４    プレート
１５    ポーチ
Ａ      移動方向
ＣｏＭ  重心
ｄ      変位
ＦＦ    自由落下
ＰＭ    振り子運動
ｔ      時間
Ｗ      風
【図１】
2019219168.tif 000003
【図２】
2019219168.tif 000004
【図３】
2019219168.tif 000005
【図４】
2019219168.tif 000006
【図５】
2019219168.tif 000007
【図６】
2019219168.tif 000008
【図７】
2019219168.tif 000009
【図８】
2019219168.tif 000010
【図９】
2019219168.tif 000011
【図１０】
2019219168.tif 000012
【図１１】
2019219168.tif 000013
【外国語明細書】
2019219168000001.pdf